(57)【特許請求の範囲】
【請求項１】
上りリンクグラントリソースの多重化方法であって、
ネットワーク機器が、前記ネットワーク機器が端末機器に配置した上りリンクグラントリソースを指示するために用いられる上りリンクグラントリソース情報を含む制御情報を確定し、前記制御情報は、前記端末機器が、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定するために用いられ、前記上りリンクグラントリソースは第１基本パラメータセットｎｕｍｅｒｏｌｏｇｙに対応するものであることと、
前記ネットワーク機器が前記端末機器に前記制御情報を送信することとを含み、
前記多重化モードは局部論理チャネル多重化モードであり、前記局部論理チャネル多重化モードは、前記残りの上りリンクグラントリソースを多重化する論理チャネルが前記第１基本パラメータセットｎｕｍｅｒｏｌｏｇｙに対応する論理チャネルであることを示すためのものであることを特徴とする上りリンクグラントリソースの多重化方法。
【請求項２】
前記ネットワーク機器が制御情報を確定する前に、前記方法はさらに、
前記ネットワーク機器が、前記端末機器の送信対象データのデータ量及び前記送信対象データを担持する論理チャネルを指示するために用いられる前記端末機器から送信されたリソーススケジューリングリクエストを受信することと、
前記ネットワーク機器が、前記データ量及び前記送信対象データを担持する前記論理チャネルのサービス特徴に基づいて、前記上りリンクグラントリソースを確定することとを含むことを特徴とする請求項１に記載の方法。
【請求項３】
前記多重化モードは、グローバル論理チャネル多重化モード、及び非限定論理チャネル多重化モードのうち少なくとも１つをさらに含むことを特徴とする請求項１又は請求項２に記載の方法。
【請求項４】
上りリンクグラントリソースの多重化方法であって、
端末機器が、ネットワーク機器から送信された制御情報を受信し、前記制御情報は前記ネットワーク機器が前記端末機器に配置した上りリンクグラントリソースを指示するために用いられる上りリンクグラントリソース情報を含み、前記上りリンクグラントリソースは第１基本パラメータセットｎｕｍｅｒｏｌｏｇｙに対応するものであることと、
前記端末機器が、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定することと、
前記端末機器が、前記多重化モードによって、前記残りの上りリンクグラントリソースを多重化することとを含み、
前記多重化モードは局部論理チャネル多重化モードであり、前記局部論理チャネル多重化モードは、前記残りの上りリンクグラントリソースを多重化する論理チャネルが前記第１基本パラメータセットｎｕｍｅｒｏｌｏｇｙに対応する論理チャネルであることを示すためのものであることを特徴とする上りリンクグラントリソースの多重化方法。
【請求項５】
１つ又は複数の論理チャネルに対応する前記上りリンクグラントリソースは送信対象データを担持することに用いられ、
前記残りの上りリンクグラントリソースは上りリンクグラントリソースにおいて送信対象データをいっぱいにしないリソースを含むことを特徴とする請求項４に記載の方法。
【請求項６】
前記方法はさらに、
前記端末機器が、制御情報を受信する前に、前記ネットワーク機器に前記端末機器の送信対象データのデータ量及び前記送信対象データを担持する論理チャネルを指示するために用いられるリソーススケジューリングリクエストを送信することを特徴とする請求項４に記載の方法。
【請求項７】
前記制御情報には、多重化モード情報を含み、前記多重化モード情報は、前記残りの上りリンクグラントリソースの多重化モードを指示するために用いられることを特徴とする請求項４又は請求項６に記載の方法。
【請求項８】
前記端末機器が残りの上りリンクグラントリソースの多重化モードを確定することは、
前記端末機器が前記多重化モード情報に基づいて、前記残りの上りリンクグラントリソースの多重化モードを確定することを含むことを特徴とする請求項７に記載の方法。
【請求項９】
前記多重化モードは、グローバル論理チャネル多重化モード、及び非限定論理チャネル多重化モードのうち少なくとも１つを含むことを特徴とする請求項４から請求項８までのいずれか一項に記載の方法。
【請求項１０】
前記グローバル論理チャネル多重化モードは、端末機器が特定の優先順に従って、サービスを担持する全ての論理チャネルに対して、残りの上りリンクグラントリソースを多重化させることを含むことを特徴とする請求項９に記載の方法。
【請求項１１】
前記端末機器が、前記多重化モードによって、前記残りの上りリンクグラントリソースを多重化することは、
前記端末機器が前記多重化モードによって、前記残りの上りリンクグラントリソースを多重化できる論理チャネルである１つ又は複数の目標論理チャネルを確定することと、
前記端末機器が前記目標論理チャネルにおける各論理チャネルの前記残りの上りリンクグラントリソースを多重化する優先度を確定することと、
前記端末機器が前記各論理チャネルの前記残りの上りリンクグラントリソースを多重化する優先度に基づいて、前記残りの上りリンクグラントリソースを多重化することとを含むことを特徴とする請求項９に記載の方法。
【請求項１２】
前記方法はさらに、
前記端末機器が前記ネットワーク機器から送信された優先度指示情報を受信することを含み、前記優先度指示情報は、前記端末機器が前記各論理チャネルの前記残りの上りリンクグラントリソースを多重化する優先度を確定するために用いられ、
前記端末機器が前記目標論理チャネルにおける各チャネルの前記残りの上りリンクグラントリソースを多重化する優先度を確定することは、
前記端末機器が前記優先度指示情報に基づいて、前記各論理チャネルの前記残りの上りリンクグラントリソースを多重化する優先度を確定することを含むことを特徴とする請求項１１に記載の方法。
【請求項１３】
前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられることを特徴とする請求項１２に記載の方法。
【請求項１４】
前記上位レイヤシグナリングの配置したパラメータは、優先順位、優先ビットレートＰＢＲ及びバケットサイズ存続期間ＢＳＤのうち少なくとも１つを含むことを特徴とする請求項１３に記載の方法。
【請求項１５】
ネットワーク機器であって、
前記ネットワーク機器が端末機器に配置した上りリンクグラントリソースを指示するために用いられる上りリンクグラントリソース情報を含む制御情報を確定するための処理モジュールであって、前記制御情報は、前記端末機器が、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定するために用いられ、前記上りリンクグラントリソースは第１基本パラメータセットｎｕｍｅｒｏｌｏｇｙに対応するものである処理モジュールと、
前記端末機器に前記制御情報を送信するために用いられる送受信モジュールとを含み、
前記多重化モードは局部論理チャネル多重化モードであり、前記局部論理チャネル多重化モードは、前記残りの上りリンクグラントリソースを多重化する論理チャネルが前記第１基本パラメータセットｎｕｍｅｒｏｌｏｇｙに対応する論理チャネルであることを示すためのものであることを特徴とするネットワーク機器。
【請求項１６】
前記処理モジュールが制御情報を確定する前に、前記送受信モジュールはさらに、
前記端末機器の送信対象データのデータ量及び前記送信対象データを担持する論理チャネルを指示するために用いられる前記端末機器から送信されたリソーススケジューリングリクエストを受信するために用いられ、
前記処理モジュールは、具体的には、前記データ量及び前記送信対象データを担持する前記論理チャネルのサービス特徴に基づいて、前記上りリンクグラントリソースを確定するために用いられることを特徴とする請求項１５に記載のネットワーク機器。
【請求項１７】
前記多重化モードは、グローバル論理チャネル多重化モード、及び非限定論理チャネル多重化モードのうち少なくとも１つをさらに含むことを特徴とする請求項１５又は請求項１６に記載のネットワーク機器。
【請求項１８】
前記送受信モジュールはさらに、
前記端末機器に優先度指示情報を送信するために用いられ、前記優先度指示情報は、前記端末機器が前記残りの上りリンクグラントリソースを多重化できる論理チャネルである目標論理チャネルにおける各論理チャネルの前記残りの上りリンクグラントリソースを多重化する優先度を確定するために用いられることを特徴とする請求項１５から請求項１７までのいずれか一項に記載のネットワーク機器。
【請求項１９】
前記優先度指示情報はさらに、前記端末機器が前記各論理チャネルにおける異なるデータパケットの前記残りの上りリンクグラントリソースを多重化する優先度を確定するために用いられることを特徴とする請求項１８に記載のネットワーク機器。
【請求項２０】
端末機器であって、
ネットワーク機器から送信された制御情報を受信するために用いられる送受信モジュールであって、前記制御情報は前記ネットワーク機器が前記端末機器に配置した上りリンクグラントリソースを指示するために用いられる上りリンクグラントリソース情報を含み、前記上りリンクグラントリソースは第１基本パラメータセットｎｕｍｅｒｏｌｏｇｙに対応するものである送受信モジュールと、
前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定するために用いられる処理モジュールとを含み、
前記処理モジュールはさらに、前記多重化モードによって、前記残りの上りリンクグラントリソースを多重化するために用いられ、
前記多重化モードは局部論理チャネル多重化モードであり、前記局部論理チャネル多重化モードは、前記残りの上りリンクグラントリソースを多重化する論理チャネルが前記第１基本パラメータセットｎｕｍｅｒｏｌｏｇｙに対応する論理チャネルであることを示すためのものであることを特徴とする端末機器。
【請求項２１】
前記制御情報には、さらに多重化モード情報を含み、前記多重化モード情報は、前記残りの上りリンクグラントリソースの多重化モードを指示するために用いられ、
前記処理モジュールは具体的に、
前記多重化モード情報に基づいて、前記残りの上りリンクグラントリソースの多重化モードを確定するために用いられることを特徴とする請求項２０に記載の端末機器。
【請求項２２】
前記多重化モードは、グローバル論理チャネル多重化モード、及び非限定論理チャネル多重化モードのうち少なくとも１つをさらに含むことを特徴とする請求項２０又は請求項２１に記載の端末機器。
【請求項２３】
前記処理モジュールは具体的に、
前記多重化モードによって、前記残りの上りリンクグラントリソースを多重化できる論理チャネルである１つ又は複数の目標論理チャネルを確定すること、
前記目標論理チャネルにおける各論理チャネルの前記残りの上りリンクグラントリソースを多重化する優先度を確定すること、及び
前記各論理チャネルの前記残りの上りリンクグラントリソースを多重化する優先度に基づいて、前記残りの上りリンクグラントリソースを多重化することに用いられることを特徴とする請求項２２に記載の端末機器。
【請求項２４】
前記送受信モジュールはさらに、
前記ネットワーク機器から送信された優先度指示情報を受信するために用いられ、前記優先度指示情報は、前記端末機器が前記各論理チャネルの前記残りの上りリンクグラントリソースを多重化する優先度を確定するために用いられ、
前記処理モジュールは具体的には、
前記優先度指示情報に基づいて、前記各論理チャネルの前記残りの上りリンクグラントリソースを多重化する優先度を確定するために用いられることを特徴とする請求項２３に記載の端末機器。
【請求項２５】
前記優先度指示情報はさらに、前記端末機器が前記各論理チャネルにおける異なるデータパケットの前記残りの上りリンクグラントリソースを多重化する優先度を確定するために用いられ、前記処理モジュールは具体的には、
前記優先度指示情報に基づいて、前記各論理チャネルにおける異なるデータパケットの前記残りの上りリンクグラントリソースを多重化する優先度を確定すること、及び
前記各論理チャネルの前記残りの上りリンクグラントリソースを多重化する優先度及び前記各論理チャネルにおける異なるデータパケットの前記残りの上りリンクグラントリソースを多重化する優先度に基づいて、前記残りの上りリンクグラントリソースを多重化することに用いられることを特徴とする請求項２４に記載の端末機器。
【請求項２６】
前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられることを特徴とする請求項２４又は請求項２５に記載の端末機器。
【請求項２７】
前記上位レイヤシグナリングの配置したパラメータは、優先順位、優先ビットレートＰＢＲ及びバケットサイズ存続期間ＢＳＤのうち少なくとも１つを含むことを特徴とする請求項２６に記載の端末機器。
【発明の詳細な説明】
【技術分野】
【０００１】
本願の実施例は通信分野に関し、且つより具体的には、上りリンクグラントリソースの多重化方法及び機器に関する。
【背景技術】
【０００２】
従来のロングタームエヴォリューション（Ｌｏｎｇ  Ｔｅｒｍ  Ｒｅｖｏｌｕｔｉｏｎ、略称「ＬＴＥ」）システムにおいて、ネットワーク側は端末機器（Ｕｓｅｒ  Ｅｑｕｉｐｍｅｎｔ、略称「ＵＥ」）に上りリンクグラント（Ｕｐｌｉｎｋ  Ｇｒａｎｔ）リソースを配置した後、端末機器は全ての論理チャネルの優先度に基づいて上りリンクグラントリソースを多重化する。
【０００３】
新しい無線（Ｎｅｗ  Ｒａｄｉｏ、略称「ＮＲ」）システムにおいて、複数の基本パラメタセット（ｎｕｍｅｒｏｌｏｇｙ）が導入され、各論理チャネルはある１つのｎｕｍｅｒｏｌｏｇｙ又はあるグループのｎｕｍｅｒｏｌｏｇｙにマッピングされる可能性があり、このように、あるｎｕｍｅｒｏｌｏｇｙに対応する１つの上りリンクグラントリソースに対して、該ｎｕｍｅｒｏｌｏｇｙに対応するある１つの論理チャネル又はあるグループの論理チャネルしか使用できず、その他の論理チャネルは該上りリンクグラントリソースを使用できない。これによって、上りリンクグラントリソースの無駄を引き起こす。
【発明の概要】
【発明が解決しようとする課題】
【０００４】
本願は上りリンクグラントリソースの多重化方法及び機器を提供し、上りリンクグラントリソースの利用効率を向上できる。
【課題を解決するための手段】
【０００５】
本発明の第１の態様にて提供される上りリンクグラントリソースの多重化方法は、
ネットワーク機器が、前記ネットワーク機器が端末機器に配置した上りリンクグラントリソースを指示するために用いられる上りリンクグラントリソース情報と、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを指示するために用いられる多重化モード情報とを含む制御情報を確定することと、
前記ネットワーク機器が前記端末機器に前記制御情報を送信することとを含む。
【０００６】
本願による上りリンクグラントリソースの多重化方法は、ネットワーク機器が端末機器に送信した制御情報には多重化モード情報が含まれることで、端末機器は多重化モード情報に基づいて、割り当てられた上りリンクグラントリソースにおける残りの上りリンクグラントリソースの多重化モードを確定し、且つ確定した多重化モードによって、残りの上りリンクグラントリソースを多重化することができる。これによって、上りリンクグラントリソースの利用効率を向上できる。
【０００７】
第１の態様を参照して、第１の態様の１つの実現形態において、前記ネットワーク機器が制御情報を確定する前に、前記方法はさらに、
前記ネットワーク機器が、前記端末機器の送信対象データのデータ量及び前記送信対象データを担持する論理チャネルを指示するために用いられる前記端末機器から送信されたリソーススケジューリングリクエストを受信することと、
前記ネットワーク機器が、前記データ量及び前記送信対象データを担持する前記論理チャネルのサービス特徴に基づいて、前記上りリンクグラントリソースを確定することとを含む。
【０００８】
第１の態様及び上記実現形態を参照して、第１の態様の別の実現形態において、前記多重化モードは、グローバル論理チャネル多重化モード、局部論理チャネル多重化モード及び非限定論理チャネル多重化モードのうち少なくとも１つを含む。
【０００９】
なお、グローバル論理チャネル多重化モードとは、端末機器が特定の優先順位に従って、サービスを担持する全ての論理チャネルに対して、残りの上りリンクグラントリソースを多重化させることを意味する。局部論理チャネル多重化モードとは、端末機器が特定の優先順位に従って、ネットワーク機器の指定された論理チャネルに対して、残りの上りリンクグラントリソースを多重化させることを意味する。非限定論理チャネル多重化モードとは、端末機器が実現実時間で、残りの上りリンクグラントリソースを多重化する論理チャネルを自ら決定できることを意味する。
【００１０】
第１の態様及び上記実現形態を参照して、第１の態様の別の実現形態において、前記方法はさらに、前記ネットワーク機器が前記端末機器に優先度指示情報を送信することを含み、前記優先度指示情報は、前記端末機器が前記残りの上りリンクグラントリソースを多重化できる論理チャネルである目標論理チャネルにおける各論理チャネルの前記残りの上りリンクグラントリソースを多重化する優先度を確定するために用いられる。
【００１１】
第１の態様及び上記実現形態を参照して、第１の態様の別の実現形態において、前記優先度指示情報はさらに、前記端末機器が前記各論理チャネルにおける異なるデータパケットの前記残りの上りリンクグラントリソースを多重化する優先度を確定するために用いられる。
【００１２】
第１の態様及び上記実現形態を参照して、第１の態様の別の実現形態において、前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられる。
【００１３】
第１の態様及び上記実現形態を参照して、第１の態様の別の実現形態において、前記上位レイヤシグナリングの配置したパラメータは、優先順位、優先ビットレートＰＢＲ及びバケットサイズ存続期間ＢＳＤのうち少なくとも１つを含む。
【００１４】
第２の態様にて提供される上りリンクグラントリソースの多重化方法は、端末機器が、ネットワーク機器から送信された制御情報を受信し、前記制御情報は前記ネットワーク機器が前記端末機器に配置した上りリンクグラントリソースを指示するために用いられる上りリンクグラントリソース情報を含むことと、
前記端末機器が、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定することと、
前記端末機器が、前記多重化モードによって、前記残りの上りリンクグラントリソースを多重化することとを含む。
【００１５】
本願の実施例による上りリンクグラントリソースの多重化方法は、端末機器が受信したネットワーク機器から送信された制御情報に、上りリンクグラントリソース情報が含まれ、端末機器は上りリンクグラントリソース情報に基づいて、ネットワーク機器がそれに配置した上りリンクグラントリソースを確定し、上りリンクグラントリソースにおける残りの上りリンクグラントリソースの多重化モードを確定し、残りの上りリンクグラントリソースの多重化モードによって、残りの上りリンクグラントリソースを多重化し、これによって、上りリンクグラントリソースの利用効率を向上できる。
【００１６】
第２の態様を参照して、第２の態様の１つの実現形態において、前記方法はさらに、
前記端末機器が、制御情報を受信する前に、前記ネットワーク機器に前記端末機器の送信対象データのデータ量及び前記送信対象データを担持する論理チャネルを指示するために用いられるリソーススケジューリングリクエストを送信することを含む。
【００１７】
第２の態様及び上記実現形態を参照して、第２の態様の別の実現形態において、前記制御情報には、多重化モード情報を含み、前記多重化モード情報は、前記残りの上りリンクグラントリソースの多重化モードを指示するために用いられ、
前記端末機器が残りの上りリンクグラントリソースの多重化モードを確定することは、
前記端末機器が前記多重化モード情報に基づいて、前記残りの上りリンクグラントリソースの多重化モードを確定することを含む。
【００１８】
第２の態様及び上記実現形態を参照して、第２の態様の別の実現形態において、前記多重化モードは、グローバル論理チャネル多重化モード、局部論理チャネル多重化モード及び非限定論理チャネル多重化モードのうち少なくとも１つを含む。
【００１９】
第２の態様及び上記実現形態を参照して、第２の態様の別の実現形態において、前記端末機器が、前記多重化モードによって、前記残りの上りリンクグラントリソースを多重化することは、
前記端末機器が前記多重化モードによって、前記残りの上りリンクグラントリソースを多重化できる論理チャネルである１つ又は複数の目標論理チャネルを確定することと、
前記端末機器が前記目標論理チャネルにおける各論理チャネルの前記残りの上りリンクグラントリソースを多重化する優先度を確定することと、
前記端末機器が前記各論理チャネルの前記残りの上りリンクグラントリソースを多重化する優先度に基づいて、前記残りの上りリンクグラントリソースを多重化することと、を含む。
【００２０】
第２の態様及び上記実現形態を参照して、第２の態様の別の実現形態において、前記方法はさらに、
前記端末機器が前記ネットワーク機器から送信された優先度指示情報を受信することを含み、前記優先度指示情報は、前記端末機器が前記各論理チャネルの前記残りの上りリンクグラントリソースを多重化する優先度を確定するために用いられ、
前記端末機器が前記目標論理チャネルにおける各チャネルの前記残りの上りリンクグラントリソースを多重化する優先度を確定することは、
前記端末機器が前記優先度指示情報に基づいて、前記各論理チャネルの前記残りの上りリンクグラントリソースを多重化する優先度を確定することを含む。
【００２１】
第２の態様及び上記実現形態を参照して、第２の態様の別の実現形態において、前記優先度指示情報はさらに、前記端末機器が前記各論理チャネルにおける異なるデータパケットの前記残りの上りリンクグラントリソースを多重化する優先度を確定するために用いられ、前記方法はさらに、
前記端末機器が前記優先度指示情報に基づいて、前記各論理チャネルにおける異なるデータパケットの前記残りの上りリンクグラントリソースを多重化する優先度を確定することを含み、
前記端末機器が前記各論理チャネルの前記残りの上りリンクグラントリソースを多重化する優先度に基づいて、前記残りの上りリンクグラントリソースを多重化することは、
前記端末機器が前記各論理チャネルの前記残りの上りリンクグラントリソースを多重化する優先度及び前記各論理チャネルにおける異なるデータパケットの前記残りの上りリンクグラントリソースを多重化する優先度に基づいて、前記残りの上りリンクグラントリソースを多重化することを含む。
【００２２】
第２の態様及び上記実現形態を参照して、第２の態様の別の実現形態において、前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられる。
【００２３】
第２の態様及び上記実現形態を参照して、第２の態様の別の実現形態において、前記上位レイヤシグナリングの配置したパラメータは、優先順位、優先ビットレートＰＢＲ及びバケットサイズ存続期間ＢＳＤのうち少なくとも１つを含む。
【００２４】
第３の態様にて提供されるネットワーク機器は、上記の第１の態様又は第１の態様の任意の可能な実現形態における方法を実行するために用いられる。具体的には、前記ネットワーク機器は上記の第１の態様又は第１の態様の任意の可能な実現形態における方法を実行するための機能モジュールを含む。
【００２５】
第４の態様にて提供される端末機器は、上記の第２の態様又は第２の態様の任意の可能な実現形態における方法を実行するために用いられる。具体的には、前記端末機器は上記の第２の態様又は第２の態様の任意の可能な実現形態における方法を実行するための機能モジュールを含む。
【００２６】
第５の態様にて提供されるネットワーク機器は、プロセッサ、メモリ及び送受信器を含む。前記プロセッサと前記メモリと前記送受信器との間は、内部接続通路を介して互いに通信し、制御及び／又はデータ信号を伝達することで、前記ネットワーク機器は上記の第１の態様又は第１の態様の任意の可能な実現形態における方法を実行する。
【００２７】
第６の態様にて提供される端末機器は、プロセッサ、メモリ及び送受信器を含む。前記プロセッサと前記メモリと前記送受信器との間は、内部接続通路を介して互いに通信し、制御及び／又はデータ信号を伝達することで、前記端末機器は上記の第２の態様又は第２の態様の任意の可能な実現形態における方法を実行する。
【００２８】
第７の態様にて提供されるコンピュータ読み取り可能な媒体は、コンピュータプログラムを記憶するために用いられ、前記コンピュータプログラムは、上記の第１の態様又は第１の態様の任意の可能な実現形態における方法を実行するために用いられるコマンドを含む。
【００２９】
第８の態様にて提供されるコンピュータ読み取り可能な媒体は、コンピュータプログラムを記憶するために用いられ、前記コンピュータプログラムは、上記の第２の態様又は第２の態様の任意の可能な実現形態における方法を実行するために用いられるコマンドを含む。
【図面の簡単な説明】
【００３０】
【図１】本願の実施例による上りリンクグラントリソースの多重化方法の概略フローチャートである。
【図２】本願の実施例による上りリンクグラントリソースの多重化方法の別の概略フローチャートである。
【図３】本願の別の実施例による上りリンクグラントリソースの多重化方法の概略フローチャートである。
【図４】本願の別の実施例による上りリンクグラントリソースの多重化方法の別の概略フローチャートである。
【図５】本願の実施例によるネットワーク機器の概略ブロック図である。
【図６】本願の実施例による端末機器の概略ブロック図である。
【図７】本願の別の実施例によるネットワーク機器の概略ブロック図である。
【図８】本願の別の実施例による端末機器の概略ブロック図である。
【発明を実施するための形態】
【００３１】
以下、本願の実施例における図面を参照しながら、本願の実施例における技術的解決手段について、明確且つ完全に説明する。
【００３２】
なお、本願の実施例の技術的解決手段は、様々な通信システムに用いてよく、例えば、グローバル移動体通信（Ｇｌｏｂａｌ  Ｓｙｓｔｅｍ  ｏｆ  Ｍｏｂｉｌｅ  ｃｏｍｍｕｎｉｃａｔｉｏｎ、略称「ＧＳＭ」）システム、符号分割多元接続（Ｃｏｄｅ  Ｄｉｖｉｓｉｏｎ  Ｍｕｌｔｉｐｌｅ  Ａｃｃｅｓｓ、略称「ＣＤＭＡ」）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、略称「ＷＣＤＭＡ」）システム、汎用パケット無線サービス（Ｇｅｎｅｒａｌ  Ｐａｃｋｅｔ  Ｒａｄｉｏ  Ｓｅｒｖｉｃｅ、略称「ＧＰＲＳ」）、ロングタームエヴォリューション（Ｌｏｎｇ  Ｔｅｒｍ  Ｅｖｏｌｕｔｉｏｎ、略称「ＬＴＥ」）システム、ＬＴＥ周波数分割複信（Ｆｒｅｑｕｅｎｃｙ  Ｄｉｖｉｓｉｏｎ  Ｄｕｐｌｅｘ、略称「ＦＤＤ」）システム、ＬＴＥ時分割複信（Ｔｉｍｅ  Ｄｉｖｉｓｉｏｎ  Ｄｕｐｌｅｘ、略称「ＴＤＤ」）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、略称「ＵＭＴＳ」）又はワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、略称「ＷｉＭＡＸ」）通信システム、第５世代移動通信システムである新しい無線（Ｎｅｗ  Ｒａｄｉｏ、ＮＲ）システムが挙げられる。
【００３３】
本願の実施例において、端末機器は、移動局（Ｍｏｂｉｌｅ  Ｓｔａｔｉｏｎ、ＭＳ）、移動端末（Ｍｏｂｉｌｅ  Ｔｅｒｍｉｎａｌ）、携帯電話（Ｍｏｂｉｌｅ  Ｔｅｌｅｐｈｏｎｅ）、ユーザー機器（Ｕｓｅｒ  Ｅｑｕｉｐｍｅｎｔ、ＵＥ）、ハンドセット（ｈａｎｄｓｅｔ）及び携帯機器（ｐｏｒｔａｂｌｅ  ｅｑｕｉｐｍｅｎｔ）、車両（ｖｅｈｉｃｌｅ）等を含んでよいが、これらに限定されず、該端末機器は、無線アクセスネットワーク（Ｒａｄｉｏ  Ａｃｃｅｓｓ  Ｎｅｔｗｏｒｋ、ＲＡＮ）を介して、１つ又は複数のコアネットワークと通信でき、例えば、端末機器は携帯電話（又は「ハニカム電話」と呼ばれる）、無線通信機能を備えるコンピュータ等であってよく、端末機器はさらに、携帯式、コンパクト式、手持ち式、コンピュータ内蔵式又は車載式の移動装置であってもよい。
【００３４】
本願の実施例に係るネットワーク装置は、無線アクセスネットワークに配置され、端末機器に無線通信機能を提供するための装置である。前記ネットワーク装置は基地局であってよく、前記基地局は様々な形式のマクロ基地局、マイクロ基地局、中継局、アクセスポイント等を含んでよい。異なる無線アクセス技術を用いるシステムにおいて、基地局機能を備える機器は名称が異なる可能性がある。例えば、ＬＴＥネットワークにおいて、進化型ノードＢ（Ｅｖｏｌｖｅｄ  ＮｏｄｅＢ、略称「ｅＮＢ」又は「ｅＮｏｄｅＢ」）と呼ばれ、第３世代（３ｒｄ  Ｇｅｎｅｒａｔｉｏｎ、略称「３Ｇ」）ネットワークにおいて、ノードＢ（Ｎｏｄｅ  Ｂ）などと呼ばれる。
【００３５】
図１は本願の実施例による上りリンクグラントリソースの多重化方法を示す。図１に示すように、方法１００はＳ１１０〜Ｓ１２０を含む。
【００３６】
Ｓ１１０、ネットワーク機器は、前記ネットワーク機器が端末機器に配置した上りリンクグラントリソースを指示するために用いられる上りリンクグラントリソース情報と、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを指示するために用いられる多重化モード情報とを含む制御情報を確定する。
【００３７】
Ｓ１２０、ネットワーク機器は端末機器に前記制御情報を送信する。
【００３８】
なお、Ｓ１１０において、ネットワーク機器が端末機器に配置した上りリンクグラントリソースは物理層において特定の基本パラメタセット（ｎｕｍｅｒｏｌｏｇｙ）に対応するものであってもよく、複数のｎｕｍｅｒｏｌｏｇｙに対応するものであってもよい。端末機器はまず上記の特定のｎｕｍｅｒｏｌｏｇｙ又は複数のｎｕｍｅｒｏｌｏｇｙに関連する論理チャネルに対して、優先順位付けによって上りリンクグラントリソースを多重化させ、これらのチャネルのサービス品質（Ｑｕａｌｉｔｙ  ｏｆ  Ｓｅｒｖｉｃｅ、略称「ＱｏＳ」）の要件を優先的に満たすことができる。
【００３９】
且つ、上りリンクグラントリソースに対応するｎｕｍｅｒｏｌｏｇｙに関連する論理チャネルが担持した伝送対象データのデータ量が上りリンクグラントリソースを満たすことができないと、上りリンクグラントリソースには余剰があり、即ち、以上言及された残りの上りリンクグラントリソースである。このような場合、端末機器は、多重化モード情報に基づいて残りの上りリンクグラントリソースの多重化モードを確定することができ、且つ確定した多重化モードによって上りリンクグラントリソースを多重化することができ、上りリンクグラントリソースの無駄を避けることができ、上りリンクグラントリソースの利用率を向上できる。
【００４０】
本願の実施例において、図２に示すように、方法１００はさらに、Ｓ１３０〜Ｓ１４０を含む。
【００４１】
Ｓ１３０、ネットワーク機器は、前記端末機器の送信対象データのデータ量及び前記送信対象データを担持する論理チャネルを指示するために用いられる端末機器から送信されたリソーススケジューリングリクエストを受信する。
【００４２】
Ｓ１４０、ネットワーク機器は、前記データ量及び前記送信対象データを担持する前記論理チャネルのサービス特徴に基づいて、前記上りリンクグラントリソースを確定する。
【００４３】
いくつかの実施例において、リソーススケジューリングリクエストはバッファステータスレポート（Ｂｕｆｆｅｒ  Ｓｔａｔｕｓ  Ｒｅｐｏｒｔ、略称「ＢＳＲ」）である。論理チャネルのサービス特徴はＱｏＳ要件を含むが、これらに限定されない。
【００４４】
本願の実施例において、多重化モードは、グローバル論理チャネル多重化モード、局部論理チャネル多重化モード及び非限定論理チャネル多重化モードのうち少なくとも１つを含む。
【００４５】
なお、グローバル論理チャネル多重化モードとは、端末機器が特定の優先順に従って、サービスを担持する全ての論理チャネルに対して、残りの上りリンクグラントリソースを多重化させることを意味する。局部論理チャネル多重化モードとは、端末機器が特定の優先順に従って、ネットワーク機器の指定された局部論理チャネルに対して、残りの上りリンクグラントリソースを多重化させることを意味する。ここで、ネットワーク機器は、残りの上りリンクグラントリソースが１つ又は複数のｎｕｍｅｒｏｌｏｇｙに対応するように配置してよく、残りの上りリンクグラントリソースが１つのｎｕｍｅｒｏｌｏｇｙに対応するように配置すれば、該ｎｕｍｅｒｏｌｏｇｙに対応する論理チャネルしか残りの上りリンクグラントリソースを多重化できず、このような多重化モードは「特定の論理チャネル多重化モード」とも呼ばれてもよい。残りの上りリンクグラントリソースが複数のｎｕｍｅｒｏｌｏｇｙに対応するように配置すれば、該複数のｎｕｍｅｒｏｌｏｇｙに対応する論理チャネルはいずれも残りの上りリンクグラントリソースを多重化できる。
【００４６】
且つ、ｎｕｍｅｒｏｌｏｇｙと論理チャネルとの対応関係は、ネットワーク機器が動的又は半静的に配置してよく、本願の実施例は、これに限定されるものではない。
【００４７】
上記実施例において、優先度順序は、端末機器が予め設定された順序付け規則に従って確定してもよく、端末機器がネットワーク機器から送信された優先度指示情報に基づいて確定してもよい。
【００４８】
具体的には、いくつかの実施例において、ネットワーク機器は端末機器に優先度指示情報を送信し、優先度指示情報は、端末機器が残りの上りリンクグラントリソースを多重化できる論理チャネルである目標論理チャネルにおける各論理チャネルの残りの上りリンクグラントリソースを多重化する優先度を確定するために用いられる。
【００４９】
例えば、優先度指示情報は、端末機器が各論理チャネルに対応するデータ無線ベアラ（Ｄａｔａ  Ｒａｄｉｏ  Ｂｅａｒｅｒ、略称「ＤＲＢ」）の伝送できるデータのサービスタイプに基づいて、各論理チャネルの残りの上りリンクグラントリソースを多重化する優先度を確定することを指示する。例えば、異なるサービスタイプに対応する優先度の順序を予め配置してよく、端末機器は論理チャネルに対応するＤＲＢの伝送できるサービスタイプに基づいて、論理チャネルの優先度を確定する。例えば、会話サービスの優先度がストリーミングサービスの優先度より高く、且つインタラクティブサービスの優先度より高ければ、残りの上りリンクグラントリソースを多重化できる論理チャネル１、論理チャネル２及び論理チャネル３という３つの論理チャネルがある。対応するＤＲＢの伝送できるデータのサービスタイプはそれぞれ、インタラクティブタイプ、会話タイプ及びストリーミングタイプであり、したがって、この３つの論理チャネルの残りの上りリンクグラントリソースを多重化する優先度は、高い順に従って、論理チャネル２、論理チャネル３及び論理チャネル１である。
【００５０】
又は、優先度指示情報は、端末機器が上位レイヤシグナリングの配置したパラメータに基づいて各論理チャネルの残りの上りリンクグラントリソースを多重化する優先度を確定することを指示する。上位レイヤシグナリングの配置したパラメータは、優先（Ｐｒｉｏｒｉｔｙ）順位、優先ビットレート（Ｐｒｉｏｒｉｔｉｚｅｄ  Ｂｉｔ  Ｒａｔｅ、略称「ＰＢＲ」）及びバケットサイズ存続期間（Ｂｕｃｋｅｔ  Ｓｉｚｅ  Ｄｕｒａｔｉｏｎ、略称「ＢＳＤ」）等を含むが、これらに限定されない。
【００５１】
又は、優先度指示情報は、各論理チャネルの残りの上りリンクグラントリソースを多重化する優先度を指示する。例えば、残りの上りリンクグラントリソースを多重化できる論理チャネル１、論理チャネル２及び論理チャネル３という３つの論理チャネルがあれば、ネットワーク機器は優先度指示情報に基づいて、この３つの論理チャネルの残りの上りリンクグラントリソースを多重化する優先度が高い順で論理チャネル３、論理チャネル２及び論理チャネル１であると直接指示することができる。
【００５２】
さらに、優先度指示情報はさらに、端末機器が各論理チャネルにおける異なるデータパケットの残りの上りリンクグラントリソースを多重化する優先度を確定するために用いられる。例えば、優先度指示情報は、端末機器が同じ論理チャネルに対応する異なるＱｏＳ−Ｆｌｏｗ−ＩＤを備えるデータパケットに対して、優先度順位付けを行うことを指示し、且つＩＤ値の大きいデータパケットが高い優先度を有することにすると、端末機器は順位付け規則に従って、異なるＩＤを備えるデータパケットの残りの上りリンクグラントリソースを多重化する優先度、即ち、異なるＩＤを備えるデータパケットの送信される順序を確定する。
【００５３】
一実施例において、優先度指示情報は制御情報に含まれてもよく、又は優先度指示情報は単独な１つの情報であってもよい。
【００５４】
以上、図１及び図２を参照しながら、ネットワーク機器側から本願の実施例による上りリンクグラントリソースの多重化方法について詳しく説明し、以下、図３及び図４を参照しながら、端末機器側から本願の別の実施例による上りリンクグラントリソースの多重化方法について詳しく説明する。なお、端末機器側から説明される端末機器とネットワーク機器とのインタラクションはネットワーク機器側の説明と同じであり、重複を避けるために、関連する説明を適宜省略する。
【００５５】
図３は本願の別の実施例による上りリンクグラントリソースの多重化方法であり、図３に示すように、方法２００は、Ｓ２１０〜Ｓ２３０を含む。
【００５６】
Ｓ２１０、端末機器は、ネットワーク機器から送信された制御情報を受信し、前記制御情報は前記ネットワーク機器が前記端末機器に配置した上りリンクグラントリソースを指示するために用いられる上りリンクグラントリソース情報を含む。
【００５７】
Ｓ２２０、端末機器は、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定する。
【００５８】
Ｓ２３０、端末機器は、多重化モードによって、残りの上りリンクグラントリソースを多重化する。
【００５９】
したがって、本願の実施例による上りリンクグラントリソースの多重化方法は、端末機器が受信したネットワーク機器から送信された制御情報に、上りリンクグラントリソース情報が含まれ、端末機器は上りリンクグラントリソース情報に基づいて、ネットワーク機器がそれに配置した上りリンクグラントリソースを確定し、上りリンクグラントリソースにおける残りの上りリンクグラントリソースの多重化モードを確定し、残りの上りリンクグラントリソースの多重化モードによって、残りの上りリンクグラントリソースを多重化し、これによって、上りリンクグラントリソースの利用効率を向上できる。
【００６０】
一実施例において、Ｓ２２０において、端末機器は残りの上りリンクグラントリソースの多重化モードを自ら決定できる。
【００６１】
本願の実施例において、図４に示すように、前記方法はさらに、Ｓ２４０を含む。
【００６２】
Ｓ２４０、前記端末機器は、制御情報を受信する前に、前記ネットワーク機器に前記端末機器の送信対象データのデータ量及び前記送信対象データを担持する論理チャネルを指示するために用いられるリソーススケジューリングリクエストを送信する。
【００６３】
本願の実施例において、前記制御情報には、さらに多重化モード情報を含み、前記多重化モード情報は、前記残りの上りリンクグラントリソースの多重化モードを指示するために用いられる。
【００６４】
Ｓ２３０は具体的に、前記端末機器が前記多重化モード情報に基づいて、前記残りの上りリンクグラントリソースの多重化モードを確定することである。
【００６５】
本願の実施例において、前記多重化モードは、グローバル論理チャネル多重化モード、局部論理チャネル多重化モード及び非限定論理チャネル多重化モードのうち少なくとも１つを含む。
【００６６】
本願の実施例において、Ｓ２３０は具体的に、前記端末機器が前記多重化モードによって、前記残りの上りリンクグラントリソースを多重化できる論理チャネルである１つ又は複数の目標論理チャネルを確定することと、前記端末機器が前記目標論理チャネルにおける各論理チャネルの前記残りの上りリンクグラントリソースを多重化する優先度を確定することと、前記端末機器が前記各論理チャネルの前記残りの上りリンクグラントリソースを多重化する優先度に基づいて、前記残りの上りリンクグラントリソースを多重化することと、を含む。
【００６７】
本願の実施例において、前記方法はさらに、前記端末機器が前記ネットワーク機器から送信された優先度指示情報を受信することを含み、前記優先度指示情報は、前記端末機器が前記各論理チャネルの前記残りの上りリンクグラントリソースを多重化する優先度を確定するために用いられる。
【００６８】
Ｓ２３０において、端末機器が前記目標論理チャネルにおける各チャネルの前記残りの上りリンクグラントリソースを多重化する優先度を確定することは、端末機器が前記優先度指示情報に基づいて、前記各チャネルの前記残りの上りリンクグラントリソースを多重化する優先度を確定することを含む。
【００６９】
本願の実施例において、前記優先度指示情報はさらに、前記端末機器が前記各論理チャネルにおける異なるデータパケットの前記残りの上りリンクグラントリソースを多重化する優先度を確定するために用いられ、前記方法はさらに、
前記端末機器が前記優先度指示情報に基づいて、前記各論理チャネルにおける異なるデータパケットの前記残りの上りリンクグラントリソースを多重化する優先度を確定することを含む。
【００７０】
Ｓ２３０において、前記端末機器が前記各論理チャネルの前記残りの上りリンクグラントリソースを多重化する優先度に基づいて、前記残りの上りリンクグラントリソースを多重化することは、端末機器が前記各論理チャネルの前記残りの上りリンクグラントリソースを多重化する優先度及び前記各論理チャネルにおける異なるデータパケットの前記残りの上りリンクグラントリソースを多重化する優先度に基づいて、前記残りの上りリンクグラントリソースを多重化することを含む。
【００７１】
本願の実施例において、前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられる。
【００７２】
本願の実施例において、前記上位レイヤシグナリングの配置したパラメータは、優先順位、優先ビットレートＰＢＲ及びバケットサイズ存続期間ＢＳＤのうち少なくとも１つを含む。
【００７３】
以上、図１から図４を参照しながら、本願の実施例による上りリンクグラントリソースの多重化方法について詳しく説明し、以下、図５を参照しながら、本願の実施例によるネットワーク機器について詳しく説明し、図５に示すように、ネットワーク機器１０は処理モジュール１１と送受信モジュール１２とを含む。
【００７４】
処理モジュール１１は、前記ネットワーク機器が端末機器に配置した上りリンクグラントリソースを指示するために用いられる上りリンクグラントリソース情報と、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを指示するために用いられる多重化モード情報とを含む制御情報を確定するために用いられる。
【００７５】
送受信モジュール１２は、前記端末機器に前記制御情報を送信するために用いられる。
【００７６】
したがって、本願の実施例によるネットワーク機器は、端末機器に送信した制御情報には多重化モード情報が含まれることで、端末機器は多重化モード情報に基づいて、割り当てられた上りリンクグラントリソースにおける残りの上りリンクグラントリソースの多重化モードを確定し、且つ確定した多重化モードによって、残りの上りリンクグラントリソースを多重化することができる。これによって、上りリンクグラントリソースの利用効率を向上できる。
【００７７】
本願の実施例において、前記処理モジュール１１が制御情報を確定する前に、前記送受信モジュール１２はさらに、前記端末機器の送信対象データのデータ量及び前記送信対象データを担持する論理チャネルを指示するために用いられる前記端末機器から送信されたリソーススケジューリングリクエストを受信するために用いられる。
前記処理モジュール１１は、具体的には、前記データ量及び前記送信対象データを担持する前記論理チャネルのサービス特徴に基づいて、前記上りリンクグラントリソースを確定するために用いられる。
【００７８】
本願の実施例において、前記多重化モードは、グローバル論理チャネル多重化モード、局部論理チャネル多重化モード及び非限定論理チャネル多重化モードのうち少なくとも１つを含む。
【００７９】
本願の実施例において、前記送受信モジュール１２はさらに、前記端末機器に優先度指示情報を送信するために用いられ、前記優先度指示情報は、前記端末機器が前記残りの上りリンクグラントリソースを多重化できる論理チャネルである目標論理チャネルにおける各論理チャネルの前記残りの上りリンクグラントリソースを多重化する優先度を確定するために用いられる。
【００８０】
本願の実施例において、前記優先度指示情報はさらに、前記端末機器が前記各論理チャネルにおける異なるデータパケットの前記残りの上りリンクグラントリソースを多重化する優先度を確定するために用いられる。
【００８１】
本願の実施例において、前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられる。
【００８２】
本願の実施例において、前記上位レイヤシグナリングの配置したパラメータは、優先順位、優先ビットレートＰＢＲ及びバケットサイズ存続期間ＢＳＤのうち少なくとも１つを含む。
【００８３】
本願の実施例によるネットワーク機器は、本願の実施例の方法１００に対応するフローを参照してよく、且つ、該ネットワーク機器における各ユニット／モジュール及び上記のその他の操作及び／又は機能は、それぞれ方法１００における相応なフローを実現するためであり、簡潔にするために、ここで説明を省略する。
【００８４】
図６は本願の実施例による端末機器の概略ブロック図であり、図６に示すように、端末機器２０は、送受信モジュール２１と処理モジュール２２とを含む。
【００８５】
送受信モジュール２１は、ネットワーク機器から送信された制御情報を受信するために用いられ、前記制御情報は前記ネットワーク機器が前記端末機器に配置した上りリンクグラントリソースを指示するために用いられる上りリンクグラントリソース情報を含む。
【００８６】
処理モジュール２２は、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定するために用いられる。
【００８７】
前記処理モジュール２２はさらに、前記多重化モードによって、前記残りの上りリンクグラントリソースを多重化するために用いられる。
【００８８】
したがって、本願の実施例による端末機器が受信したネットワーク機器から送信された制御情報に、上りリンクグラントリソース情報が含まれ、端末機器は上りリンクグラントリソース情報に基づいて、ネットワーク機器がそれに配置した上りリンクグラントリソースを確定し、上りリンクグラントリソースにおける残りの上りリンクグラントリソースの多重化モードを確定し、残りの上りリンクグラントリソースの多重化モードによって、残りの上りリンクグラントリソースを多重化し、これによって、上りリンクグラントリソースの利用効率を向上できる。
【００８９】
本願の実施例において、前記送受信モジュール２１はさらに、
前記送受信モジュール２１がネットワーク機器から送信された制御情報を受信する前に、前記ネットワーク機器に前記端末機器の送信対象データのデータ量及び前記送信対象データを担持する論理チャネルを指示するために用いられるリソーススケジューリングリクエストを送信するために用いられる。
【００９０】
本願の実施例において、前記制御情報には、多重化モード情報を含み、前記多重化モード情報は、前記残りの上りリンクグラントリソースの多重化モードを指示するために用いられる。
【００９１】
前記処理モジュール２２は具体的に、前記多重化モード情報に基づいて、前記残りの上りリンクグラントリソースの多重化モードを確定するために用いられる。
【００９２】
本願の実施例において、前記多重化モードは、グローバル論理チャネル多重化モード、局部論理チャネル多重化モード及び非限定論理チャネル多重化モードのうち少なくとも１つを含む。
【００９３】
本願の実施例において、前記処理モジュール２２は具体的に、
前記多重化モードによって、前記残りの上りリンクグラントリソースを多重化できる論理チャネルである１つ又は複数の目標論理チャネルを確定すること、
前記目標論理チャネルにおける各論理チャネルの前記残りの上りリンクグラントリソースを多重化する優先度を確定すること、
及び前記各論理チャネルの前記残りの上りリンクグラントリソースを多重化する優先度に基づいて、前記残りの上りリンクグラントリソースを多重化することに用いられる。
【００９４】
本願の実施例において、前記送受信モジュール２１はさらに、前記ネットワーク機器から送信された優先度指示情報を受信するために用いられ、前記優先度指示情報は、前記端末機器が前記各論理チャネルの前記残りの上りリンクグラントリソースを多重化する優先度を確定するために用いられる。
【００９５】
前記処理モジュール２２は具体的に、
前記優先度指示情報に基づいて、前記各論理チャネルの前記残りの上りリンクグラントリソースを多重化する優先度を確定するために用いられる。
【００９６】
本願の実施例において、前記優先度指示情報はさらに、前記端末機器が前記各論理チャネルにおける異なるデータパケットの前記残りの上りリンクグラントリソースを多重化する優先度を確定するために用いられ、前記処理モジュール２２は具体的に、
前記優先度指示情報に基づいて、前記各論理チャネルにおける異なるデータパケットの前記残りの上りリンクグラントリソースを多重化する優先度を確定すること、及び
前記各論理チャネルの前記残りの上りリンクグラントリソースを多重化する優先度及び前記各論理チャネルにおける異なるデータパケットの前記残りの上りリンクグラントリソースを多重化する優先度に基づいて、前記残りの上りリンクグラントリソースを多重化することに用いられる。
【００９７】
本願の実施例において、前記優先度指示情報は、前記端末機器が前記各論理チャネルに対応するデータ無線ベアラＤＲＢの伝送できるデータのサービスタイプに基づいて、前記各論理チャネルが前記残りの上りリンクグラントリソースを多重化する優先度を確定することを指示するために用いられるか、又は、
前記優先度指示情報は、前記端末機器が上位レイヤシグナリングの配置したパラメータに基づいて、前記各論理チャネルが前記残りの上りリンクグラントリソースを多重化する優先度を確定することを指示するために用いられるか、又は、
前記優先度指示情報は、前記各論理チャネルが前記残りの上りリンクグラントリソースを多重化する優先度を指示するために用いられる。
【００９８】
本願の実施例において、前記上位レイヤシグナリングの配置したパラメータは、優先順位、優先ビットレートＰＢＲ及びバケットサイズ存続期間ＢＳＤのうち少なくとも１つを含む。
【００９９】
本願の実施例による端末機器は、本願の実施例の方法２００に対応するフローを参照してもよく、且つ、該端末機器における各ユニット／モジュール及び上記のその他の操作及び／又は機能は、それぞれ方法２００における相応なフローを実現するためであり、簡潔にするために、ここで説明を省略する。
【０１００】
図７は本願の別の実施例によるネットワーク機器を示す。図７に示すように、ネットワーク機器１００は、プロセッサ１１０と送受信器１２０とを含み、プロセッサ１１０と送受信器１２０が接続され、一実施例において、該ネットワーク機器１００はさらにメモリ１３０を含み、メモリ１３０はプロセッサ１１０に接続される。プロセッサ１１０とメモリ１３０と送受信器１２０とは、内部接続通路を介して互いに通信できる。プロセッサ１１０は、前記ネットワーク機器が端末機器に配置した上りリンクグラントリソースを指示するために用いられる上りリンクグラントリソース情報と、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを指示するために用いられる多重化モード情報とを含む制御情報を確定するために用いられる。送受信器１２０は、前記端末機器に前記制御情報を送信するために用いられる。
【０１０１】
したがって、本願の実施例によるネットワーク機器は、端末機器に送信した制御情報には多重化モード情報が含まれることで、端末機器は多重化モード情報に基づいて、割り当てられた上りリンクグラントリソースにおける残りの上りリンクグラントリソースの多重化モードを確定し、且つ確定した多重化モードによって、残りの上りリンクグラントリソースを多重化することができる。これによって、上りリンクグラントリソースの利用効率を向上できる。
【０１０２】
本願の実施例によるネットワーク機器１００は、本願の実施例に対応するネットワーク機器１０を参照してよく、且つ、該ネットワーク機器における各ユニット／モジュール及び上記のその他の操作及び／又は機能は、それぞれ方法１００における相応なフローを実現するためであり、簡潔にするために、ここで説明を省略する。
【０１０３】
図８は本願の別の実施例による端末機器の概略ブロック図を示し、図８に示すように、端末機器２００は、プロセッサ２１０と送受信器２２０とを含み、プロセッサ２１０と送受信器２２０が接続され、一実施例において、前記端末機器２００はさらに、メモリ２３０を含み、メモリ２３０はプロセッサ２１０に接続される。プロセッサ２１０とメモリ２３０と送受信器２２０とは、内部接続通路を介して互いに通信できる。前記送受信器２２０は、ネットワーク機器から送信された制御情報を受信するために用いられ、前記制御情報は前記ネットワーク機器が前記端末機器に配置した上りリンクグラントリソースを指示するために用いられる上りリンクグラントリソース情報を含む。前記プロセッサ２１０は、前記上りリンクグラントリソースにおいて、前記上りリンクグラントリソースに対応する１つ又は複数の論理チャネルにおけるデータを担持するための一部の上りリンクグラントリソース以外の上りリンクグラントリソースである残りの上りリンクグラントリソースの多重化モードを確定すること、及び前記多重化モードによって、前記残りの上りリンクグラントリソースを多重化することに用いられる。
【０１０４】
したがって、本願の実施例による端末機器が受信したネットワーク機器から送信された制御情報に、上りリンクグラントリソース情報が含まれ、端末機器は上りリンクグラントリソース情報に基づいて、ネットワーク機器がそれに配置した上りリンクグラントリソースを確定し、上りリンクグラントリソースにおける残りの上りリンクグラントリソースの多重化モードを確定し、残りの上りリンクグラントリソースの多重化モードによって、残りの上りリンクグラントリソースを多重化し、これによって、上りリンクグラントリソースの利用効率を向上できる。
【０１０５】
本願の実施例による端末機器２００は、本願の実施例に対応する端末機器２０を参照してよく、且つ、該端末機器における各ユニット／モジュール及び上記のその他の操作及び／又は機能は、それぞれ方法２００における相応なフローを実現するためであり、簡潔にするために、ここで説明を省略する。
【０１０６】
なお、本願の実施例におけるプロセッサは集積回路チップであってよく、信号処理能力を備える。上記のプロセッサは、汎用プロセッサ、デジタルシグナルプロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）、又はその他のプログラマブルロジックデバイス、ディスクリートゲート、又はトランジスタロジックデバイス、ディスクリートハードウェアコンポーネントであってよい。本願の実施例に開示されている各方法、ステップ及び論理ブロック図を実現し、又は実行することができる。汎用プロセッサは、マイクロプロセッサであってもよく、又は該プロセッサはいずれかの従来のプロセッサ等であってもよい。
【０１０７】
本願の実施例におけるメモリは揮発性メモリ又は不揮発性メモリであってもよく、又は揮発性及び不揮発性メモリの両者を含んでもよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的消去可能なプログラマブル読み取り専用メモリ（Ｅｌｅｃｔｒｉｃａｌｌｙ  ＥＰＲＯＭ、ＥＥＰＲＯＭ）又はフラッシュメモリであってよい。揮発性メモリは、ランダムアクセスメモリ（Ｒａｎｄｏｍ  Ａｃｃｅｓｓ  Ｍｅｍｏｒｙ、ＲＡＭ）であってよく、それは外部キャッシュとして用いられる。制限的ではなく、例示的な説明によって、多くの形式のＲＡＭが使用でき、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期式ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、強化型同期ダイナミックランダムアクセスメモリ（Ｅｎｈａｎｃｅｄ  ＳＤＲＡＭ、ＥＳＤＲＡＭ）、同期リンクダイナミックランダムアクセスメモリ（Ｓｙｎｃｈｌｉｎｋ  ＤＲＡＭ、ＳＬＤＲＡＭ）及びダイレクトランバスランダムアクセスメモリ（Ｄｉｒｅｃｔ  Ｒａｍｂｕｓ  ＲＡＭ、ＤＲ  ＲＡＭ）が挙げられる。なお、本願にて説明されるシステム及び方法のメモリはこれら及びその他の任意の好適なタイプのメモリを含むが、それらに限定されるものではない。
【０１０８】
当業者であれば、分かるように、本願に開示されている実施例を用いて説明する各例のユニット及びアルゴリズムステップは、電子ハードウェア、又はコンピュータソフトウェアと電子ハードウェアとの組み合わせで実現できる。これらの機能が一体、ハードウェアで実行されるかソフトウェアで実行されるかは、技術的解決手段の特定の応用及び設計制限条件に決められている。当業者は各特定の応用に対して、異なる方法を用いて説明された機能を実現できるが、このような実現は本願の範囲を超えると認められるべきではない。
【０１０９】
当業者であれば、明確に理解できるように、説明を便利及び簡潔にするために、以上説明したシステム、装置及びユニットの具体的な動作過程は、前述した方法の実施例における対応する過程を参照してよく、ここで、説明を省略する。
【０１１０】
なお、本願にて提供されるいくつかの実施例において、開示されているシステム、装置及び方法は、その他の形態によって実現されてもよい。例えば、以上説明された装置の実施例は概略的なものに過ぎず、例えば、前記ユニットの分割は、ロジック機能分割に過ぎず、実際に実現する際に、別の分割形態にしてもよく、例えば、複数のユニット又は部品は組み合わせたり別のシステムに集積したりしてもよく、又はいくつかの特徴を無視したり、実行しなかったりしてもよい。一方で、表示又は検討された相互間のカップリング、直接カップリング、又は通信接続は、いくつかのインタフェース、装置又はユニットによる間接カップリング、又は通信接続であってもよく、電気的、機械的、又はその他の形式であってもよい。
【０１１１】
分離した部材として説明される前記ユニットは、物理上で、分離するものであってもよく、又は分離しないものであってもよく、ユニットとして表示される部材は、物理ユニットであってもよく、又は物理ユニットでなくてもよく、即ち、１つの個所に位置してもよく、又は複数のネットワークユニット上に分散してもよい。実際のニーズに基づいて、一部、又は全てのユニットを選択することで、本実施例の態様の目的を実現してもよい。
【０１１２】
また、本願の各実施例における各機能ユニットは、１つの処理ユニットに集積されてもよく、各ユニットが単独な物理的存在としてもよく、２つ又はそれ以上のユニットが１つのユニットに集積されてもよい。
【０１１３】
前記機能はソフトウェア機能ユニットの形式で実現され、且つ独立した製品として、販売又は使用される場合、１つのコンピュータ読み取り可能な記憶媒体内に記憶されてもよい。このような理解に基づいて、本願の技術的解決手段の本質、又は、従来技術に貢献する部分、又は該技術的解決手段の部分は、ソフトウェア製品の形式で表現されてもよく、該コンピュータソフトウェア製品は１つの記憶媒体内に記憶され、一台のコンピュータ装置（パソコン、サーバー、又はネットワーク装置等であってもよい）に本願の各実施例に記載の方法の全て、又は一部のステップを実行させるためのいくつかの命令を含む。前記記憶媒体は、ＵＳＢメモリ、リムーバブルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスク等、プログラムコードを記憶できる様々な媒体を含む。
【０１１４】
以上の説明は、本願の具体的な実施形態に過ぎず、本願の範囲は、これに制限されるものではなく、当業者が、本願に開示されている技術的範囲内において、容易に想到し得る全ての変化、又は置換は、いずれも本願の範囲に属する。したがって、本願の範囲は、前記特許請求の範囲を根拠とするべきである。
【図１】
0006898453.tif 000002
【図２】
0006898453.tif 000003
【図３】
0006898453.tif 000004
【図４】
0006898453.tif 000005
【図５】
0006898453.tif 000006
【図６】
0006898453.tif 000007
【図７】
0006898453.tif 000008
【図８】
0006898453.tif 000009